(57)【要約】【課題】種々の物品を展示し得る収納箱を提供する。【解決手段】収納箱１は、底板部１１の四周に側板部２２，２３，２３，２４を設けた箱本体部１０と、該箱本体部の開口を覆う蓋部３０と、前記箱本体部の底板部に物品３を沿わせるようにして展示可能なように該底板部を設置面２に対して傾斜状態で支持するスタンド部１５と、を備えており、前記箱本体部の四周の側板部は、前記底板部に対して略平行状に展開可能とされている。【選択図】図１
2014169110.tif 000002
【特許請求の範囲】
【請求項１】
底板部の四周に側板部を設けた箱本体部と、
該箱本体部の開口を覆う蓋部と、
前記箱本体部の底板部に物品を沿わせるようにして展示可能なように該底板部を設置面に対して傾斜状態で支持するスタンド部と、を備えており、
前記箱本体部の四周の側板部は、前記底板部に対して略平行状に展開可能とされていることを特徴とする収納箱。
【請求項２】
請求項１において、
前記底板部が傾斜状態において、前記設置面に沿うように配置され、前記物品が載置される下端側の側板部には、前記物品の下端部の反底板部側への移動を抑制するストッパー部が設けられていることを特徴とする収納箱。
【請求項３】
請求項２において、
前記ストッパー部は、前記下端側の側板部に一体的に切り起こし状に設けられ、前記物品の下端部に当接されるストッパー片であることを特徴とする収納箱。
【請求項４】
請求項１乃至３のいずれか１項において、
前記箱本体部と前記蓋部とは分離されており、該蓋部は、該箱本体部の四周の側板部を外嵌するように前記開口を覆う構成とされており、
前記スタンド部は、前記箱本体部の底板部に対して略平行状に折り畳み可能に設けられていることを特徴とする収納箱。
【請求項５】
請求項４において、
前記スタンド部は、前記底板部に一体的に切り起こし状に設けられ、前記設置面に当接される一対の支持脚状片と、前記底板部に一体的に切り起こし状に設けられ、これら一対の支持脚状片を保持する保持片と、を備えた構成とされていることを特徴とする収納箱。
【請求項６】
請求項１乃至５のいずれか１項において、
前記箱本体部の四周の側板部は、互いに隣り合う側板部同士が分離されていることを特徴とする収納箱。
【請求項７】
請求項１乃至６のいずれか１項において、
前記底板部が傾斜状態において、前記設置面に沿うように配置される下端側の側板部以外の他の側板部及び前記底板部のうちの少なくとも一つには、物品が引っ掛けられる引掛部が設けられていることを特徴とする収納箱。
【請求項８】
請求項１乃至７のいずれか１項において、
平板状で折り畳み展開可能な薄型物品を収納するものであることを特徴とする収納箱。
【発明の詳細な説明】
【技術分野】
【０００１】
本発明は、収納箱に関する。
【背景技術】
【０００２】
従来より、物品等を展示する機能を有した収納箱が知られている。
例えば、下記特許文献１では、上部に開口する容器の開口を開閉可能な蓋の上面に、基端を揺動可能に取り付けたスタンドを備えた箱が提案されている。この箱は、容器を蓋の内側に裏返して収容させることで、容器に物を入れた状態で傾斜させて飾ることが可能な構成とされている。
また、下記特許文献２では、商品を収納する前面開口の包装箱を外嵌状態で収納するケースを、その略中間位置で下半部と上半部とに中折れ状態で二つ割り可能な構成としたスタンド兼用の商品収納ケースが提案されている。この商品収納ケースは、ケースを二つ割りし、側面視で逆Ｖ字型に立てた状態で、包装箱の略半分を下半部に収納させて展示可能な構成とされている。
また、下記特許文献３では、前板に上辺側から大きく切り欠かれた開口部を設け、背板に、ケースの上方及び前面側を覆うカバー板を連設するとともに、ケースを自立させる脚片を設けたハガキ梱包用ケースが提案されている。このケースは、カバー板を開け、このカバー板を二つ折りした状態でケース内に差し込み、脚片を背板に対して起こすことで、ケースに収容したハガキを開口部において露出させて展示可能な構成とされている。
【先行技術文献】
【特許文献】
【０００３】
【特許文献１】特開平１０−２９１５２３号公報
【特許文献２】特開２００６−２１９１９４号公報
【特許文献３】特開２０１１−１１７７２号公報
【発明の概要】
【発明が解決しようとする課題】
【０００４】
しかしながら、上記各特許文献に記載されたものでは、いずれも展示対象物品の全体や略半分が容器やケースに収納された状態で展示されることとなる。そのため、例えば、収納された物品よりも大判の物品を展示したり、写真や証書、額縁等の複数枚の平板状の薄型の物品を横並びに隣接させて展示したり、平板状で折り畳み展開可能な薄型の冊子状の物品等を展開状態で展示等することは困難な構成であり、更なる改善が望まれていた。
【０００５】
本発明は、上記実情に鑑みなされたものであり、種々の物品を展示し得る収納箱を提供することを目的としている。
【課題を解決するための手段】
【０００６】
前記目的を達成するために、本発明に係る収納箱は、底板部の四周に側板部を設けた箱本体部と、該箱本体部の開口を覆う蓋部と、前記箱本体部の底板部に物品を沿わせるようにして展示可能なように該底板部を設置面に対して傾斜状態で支持するスタンド部と、を備えており、前記箱本体の四周の側板部は、前記底板部に対して略平行状に展開可能とされていることを特徴とする。
【０００７】
本発明においては、前記底板部が傾斜状態において、前記設置面に沿うように配置され、前記物品が載置される下端側の側板部に、前記物品の下端部の反底板部側への移動を抑制するストッパー部を設けてもよい。
また、本発明においては、前記ストッパー部を、前記下端側の側板部に一体的に切り起こし状に設けられ、前記物品の下端部に当接されるストッパー片としてもよい。
また、本発明においては、前記箱本体部と前記蓋部とを分離させ、該蓋部を、該箱本体部の四周の側板部を外嵌するように前記開口を覆う構成とし、前記スタンド部を、前記箱本体部の底板部に対して略平行状に折り畳み可能に設けてもよい。
また、本発明においては、前記スタンド部を、前記底板部に一体的に切り起こし状に設けられ、前記設置面に当接される一対の支持脚状片と、前記底板部に一体的に切り起こし状に設けられ、これら一対の支持脚状片を保持する保持片と、を備えた構成としてもよい。
また、本発明においては、前記箱本体部の四周の側板部を、互いに隣り合う側板部同士が分離されたものとしてもよい。
また、本発明においては、前記底板部が傾斜状態において、前記設置面に沿うように配置される下端側の側板部以外の他の側板部及び前記底板部のうちの少なくとも一つに、物品が引っ掛けられる引掛部を設けてもよい。
また、本発明においては、当該収納箱を、平板状で折り畳み展開可能な薄型物品を収納するものとしてもよい。
【発明の効果】
【０００８】
本発明に係る収納箱は、上述のような構成としたことで、種々の物品を展示することができる。
【図面の簡単な説明】
【０００９】
【図１】（ａ）、（ｂ）は、いずれも本発明の一実施形態に係る収納箱の一例を模式的に示す一部省略概略斜視図である。
【図２】（ａ）は、同収納箱が備える蓋部の一例を模式的に示す概略展開平面図、（ｂ）は、同収納箱が備える箱本体部の一例を模式的に示す概略展開平面図である。
【図３】（ａ）は、同収納箱の概略斜視図、（ｂ）は、同収納箱の概略分解斜視図である。
【図４】（ａ）、（ｂ）は、いずれも同箱本体部の概略側面図である。
【図５】（ａ）は、同箱本体部の概略斜視図、（ｂ）は、同箱本体部の概略正面図である。
【図６】（ａ）は、図５（ｂ）に対応させた同箱本体部の概略正面図、（ｂ）は、同箱本体部の一変形例を模式的に示す概略正面図である。
【図７】（ａ）、（ｂ）は、いずれも同箱本体部の他の変形例をそれぞれ模式的に示し、図２（ｂ）に対応させた概略展開平面図である。
【発明を実施するための形態】
【００１０】
以下に本発明の実施の形態について、図面に基づいて説明する。
なお、一部の図では、他図に付している詳細な符号の一部を省略している。
図１〜図６（ａ）は、本実施形態に係る収納箱の一例を模式的に示す図である。
【００１１】
本実施形態に係る収納箱１は、図３に示すように、底板部１１の四周に側板部２２，２３，２３，２４を設けた箱本体部１０と、この箱本体部１０の開口を覆う蓋部３０と、を備えている。また、収納箱１は、図１及び図４に示すように、箱本体部１０の底板部１１に物品３を沿わせるようにして展示可能なように底板部１１を設置面２に対して傾斜状態で支持するスタンド部１５を備えている。
本実施形態では、収納箱１は、箱本体部１０と蓋部３０とが分離されており、箱本体部としての箱本体１０と、蓋部としての蓋体３０と、を備えた構成とされている。
【００１２】
箱本体１０は、図１及び図２（ｂ）に示すように、その四周の側板部２２，２３，２３，２４が底板部１１に対して略平行状に展開可能とされている。
本実施形態では、箱本体１０の四周の側板部２２，２３，２３，２４を、互いに隣り合う側板部２２，２３，２３，２４同士が分離されたものとしている。つまり、四周の側板部２２，２３，２３，２４の隣り合う端部同士が接合されておらず、分離しており、これら四周の側板部２２，２３，２３，２４が底板部１１に対して略平行状に展開可能とされている。
これら四周の側板部２２，２３，２３，２４は、それぞれの厚さ方向両面が底板部１１の厚さ方向両面と略同一平面状となるように展開可能とされている。
また、図１（ａ）及び図４に示すように、スタンド部１５によって設置面２に対して傾斜状態で底板部１１を支持させた状態で、四周の側板部２２，２３，２３，２４のうちの下端側に配置される下端側の側板部（下側板部）２４が設置面２に沿うように載置される構成とされている。
【００１３】
また、箱本体１０は、図３（ｂ）に示すように、底板部１１と、その四周から立ち上がるように折り曲げられた四周の側板部２２，２３，２３，２４と、によって一方向に開口した物品３の収納空間を区画形成する構成とされている。また、箱本体１０は、このように収納空間を区画形成した状態では、四周の側板部２２，２３，２３，２４が底板部１１に対して略直交状となる構成とされている。
また、箱本体１０は、その開口方向に見て、略方形状とされている。本実施形態では、箱本体１０を、開口方向に見て、略長方形状としている。
【００１４】
また、箱本体１０の側板部２２，２３，２３，２４は、収納空間を区画形成した状態における底板部１１側の基端縁部から開口側の先端縁部までの開口方向に沿う寸法が互いに略同寸法とされている。本実施形態では、各側板部２２，２３，２３，２４の収納空間を区画形成した状態における開口方向に沿う寸法を、各側板部２２，２３，２３，２４の収納空間を区画形成した状態における周方向に沿う寸法よりも小さい寸法とし、箱本体１０を、比較的に薄型のトレー状としている。なお、以下では、各側板部２２，２３，２３，２４の収納空間を区画形成した状態における開口方向に沿う寸法を、各側板部２２，２３，２３，２４の幅寸法として原則的に説明する。また、各側板部２２，２３，２３，２４の収納空間を区画形成した状態における周方向に沿う寸法を、各側板部２２，２３，２３，２４の長さ寸法として原則的に説明する。
【００１５】
蓋体３０は、箱本体１０の四周の側板部２２，２３，２３，２４を外嵌するように箱本体１０の開口を覆う構成とされている。この蓋体３０は、天板部３１と、その四周から垂れ下がるように設けられた四周の側板部３４，３４，３７，３７と、によって一方向に開口した略箱形状とされ、箱本体１０の四周の側板部２２，２３，２３，２４を受け入れるように箱本体１０の開口を覆う構成とされている。また、蓋体３０は、四周の側板部３４，３４，３７，３７が天板部３１に対して略直交状とされている。
また、蓋体３０は、その開口方向に見て、略方形状とされている。本実施形態では、箱本体１０に対応させて、蓋体３０を、開口方向に見て、略長方形状としている。
また、蓋体３０は、箱本体１０と略同様、各側板部３４，３４，３７，３７の天板部３１側の基端縁部から開口側の先端縁部までの開口方向に沿う寸法が互いに略同寸法とされている。また、箱本体１０と略同様、各側板部３４，３４，３７，３７の開口方向に沿う寸法を、各側板部３４，３４，３７，３７の周方向に沿う寸法よりも小さい寸法とし、蓋体３０を、比較的に薄型のトレー状としている。
【００１６】
また、本実施形態では、図３に示すように、収納空間を区画形成した状態における箱本体１０の厚さ寸法（各側板部２２，２３，２３，２４の概ね幅寸法に相当する寸法）と蓋体３０の厚さ寸法（各側板部３４，３４，３７，３７の概ね幅寸法に相当する寸法）とを略同寸法としている。つまり、蓋体３０内に箱本体１０の略全体が収容される構成としている。なお、このような構成に代えて、収納空間を区画形成した状態における箱本体１０の厚さ寸法を、蓋体３０の厚さ寸法よりも大きい寸法としてもよい。
【００１７】
また、本実施形態では、図２に示すように、これら箱本体１０及び蓋体３０は、厚さ方向に見て（平面視して）略方形状（本実施形態では、略長方形状）の板状とされた板状部材を折り曲げて形成されている。
これら箱本体１０及び蓋体３０を構成する板状部材としては、表裏のライナ間に、波形中芯を設けた両面段ボール材から形成されたものとしてもよい。この場合、複数の波形中芯を設け、これら波形中芯間に中間ライナを設けた複層構造のいわゆる複両面段ボール材から形成されたものとしてもよい。また、これら箱本体１０及び蓋体３０を構成する板状部材としては、段ボール材から形成されたものに限られず、板紙や厚紙等の他の紙材から形成されたものとしてもよく、合成樹脂系材料から形成されたものとしてもよい。
【００１８】
蓋体３０を構成する板状部材は、図２（ａ）に示すように、厚さ方向に見て（平面視して）略方形状とされた天板部３１の四周の各辺縁部に一体的に各側板部３４，３４，３７，３７を設けた構成とされている。これら天板部３１とその周囲の側板部３４，３４，３７，３７との境界部には、それぞれ折目３２，３２，３３，３３が設けられており、各側板部３４，３４，３７，３７は、それぞれの折目３２，３２，３３，３３部位で天板部３１に対して折り曲げられる。これら側板部３４，３４，３７，３７は、組み立てられた状態では、互いに隣り合う端部同士が接合されるように固定される。
図例では、互いに対向する二対の側板部３４，３４，３７，３７のうちの一方対の側板部（図例では、長辺側の側板部）３４，３４の長手方向両端部に、それぞれ長手方向外方側に延びるようにフラップ状の折曲片３６，３６，３６，３６を設けた構成としている。また、これら折曲片３６，３６，３６，３６と一方対の側板部３４，３４の長手方向両端部との境界部に、それぞれ折目３５，３５，３５，３５を設けた構成としている。
【００１９】
この蓋体３０は、例えば、一方対の側板部３４，３４に対して折り曲げた各折曲片３６，３６，３６，３６を、他方対の側板部３７，３７の内面に沿わせて固定することで組み立てるようにしてもよい。また、各折曲片３６，３６，３６，３６を、他方対の側板部３７，３７に、ステープル等の止具や、粘着テープ等の粘着材、接着剤等によって固定するようにしてもよい。
なお、箱本体１０と別体とされた蓋体３０としては、上記のような構成とされたものに限られず、天板部３１と四周の側板部３４，３４，３７，３７とによって一方向に開口した略箱形状とされたものとすればよい。
【００２０】
箱本体１０を構成する板状部材は、図２（ｂ）に示すように、厚さ方向に見て（平面視して）略方形状とされた底板部１１の四周の各辺縁部に一体的に各側板部２２，２３，２３，２４を設けた構成とされている。これら底板部１１とその周囲の側板部２２，２３，２３，２４との境界部には、それぞれ折目１２，１３，１３，１４が設けられている。各側板部２２，２３，２３，２４は、それぞれの折目１２，１３，１３，１４部位で底板部１１に対して折り曲げられ、上記した物品３の収納空間を区画形成する構成とされている。
また、本実施形態では、底板部１１に対して各側板部２２，２３，２３，２４を略平行状に展開させた状態で、箱本体１０の四隅部に方形状に切り欠かれたような切欠状の凹所を設けた構成としている。つまり、本実施形態では、各側板部２２，２３，２３，２４の長手方向両端部にフラップ等を設けずに、各側板部２２，２３，２３，２４の長さ寸法を、底板部１１の四周の対応する辺縁部の寸法と略同寸法としている。
また、これら各側板部２２，２３，２３，２４は、図３（ｂ）に示すように、収納空間を区画形成した状態では、隣り合う端部同士が突き合わせられるように当接または近接される構成とされている。
【００２１】
また、本実施形態では、上記したスタンド部１５を、箱本体１０の底板部１１に対して略平行状に折り畳み可能に設けている。つまり、蓋体３０にスタンド部１５を設けたり、蓋体３０を変形させてスタンド部１５としたりする構成とせずに、箱本体１０にスタンド部１５を設けている。このような構成とすれば、例えば、蓋体３０の上面にスタンド部を設けたり、蓋体３０自体を変形させてスタンド部としたりするような構成とした場合と比べて、蓋体３０によって箱本体１０の開口を覆い、梱包した状態では、スタンド部１５が目立ち難くなり、見栄えを向上させることができる。
また、本実施形態では、スタンド部１５を、厚さ方向に見て略長方形状とされた底板部１１の長手方向が左右方向に沿うように底板部１１を傾斜状態で支持する構成としている。つまり、スタンド部１５を、横長状となるように底板部１１を傾斜状態で支持する構成としている。
【００２２】
また、本実施形態では、このスタンド部１５を、底板部１１に一体的に切り起こし状に設けている。つまり、底板部１１の厚さ方向一方面に付設状にスタンド部１５を設けたような構成とせずに、底板部１１自体の一部をスタンド部１５として機能させる構成としている。このような構成とすれば、例えば、底板部１１の厚さ方向一方面に付設状にスタンド部１５を設けたような構成とした場合と比べて、上記のような梱包状態（つまりは、スタンド部１５を底板部１１に対して折り畳んだ状態）で、スタンド部１５によって底板部１１の厚さが厚くなったり、スタンド部１５が邪魔になったりするようなことを防止でき、また、材料コストを低減させることができる。
【００２３】
また、本実施形態では、このスタンド部１５を、底板部１１に一体的に切り起こし状に設けられ、設置面２（図４参照）に当接される一対の支持脚状片１６，１６と、底板部１１に一体的に切り起こし状に設けられ、これら一対の支持脚状片１６，１６を保持する保持片１９と、を備えた構成としている。このような構成とすれば、一対の支持脚状片１６，１６によって底板部１１を傾斜状態で安定的に支持することができ、また、その状態の一対の支持脚状片１６，１６を保持片１９によって保持することができる。
一対の支持脚状片１６，１６は、底板部１１に対して折り曲げられた状態で、底板部１１に対して折り曲げられた保持片１９によって保持される。本実施形態では、底板部１１に対して略直交状に折り曲げられた一対の支持脚状片１６，１６を底板部１１に対して略直交状に折り曲げられた保持片１９によって保持する構成としている。
【００２４】
また、一対の支持脚状片１６，１６は、底板部１１の長手方向に互いに離間して設けられており、互いに略同様の構成とされている。
また、これら支持脚状片１６，１６は、底板部１１を設置面２に対して傾斜状態で支持した状態で、底板部１１の長手方向中央部からそれぞれ略等間隔を空けて配置される構成とされている。このような構成とすれば、底板部１１を設置面２に対して傾斜させた状態でより安定的に支持することができる。
また、これら支持脚状片１６，１６は、図４に示すように、底板部１１を設置面２に対して傾斜状態で支持した状態で、その下端部が設置面２に当接される構成とされている。本実施形態では、底板部１１を設置面２に対して傾斜状態で支持した状態における一対の支持脚状片１６，１６の後側部位（反底板部１１側部位）の下端部が設置面２に当接される構成とされている。また、本実施形態では、底板部１１を設置面２に対して傾斜状態で支持した状態における一対の支持脚状片１６，１６の後側部位を設置面２に対して略平行状に形成し、その後側部位が線接触的（面接触的）に設置面２に当接される構成としている。このような構成とすれば、例えば、支持脚状片１６，１６の後端側の下端角部が設置面２に当接される構成とした場合と比べて、支持脚状片１６，１６の後端側の下端角部の損傷等を抑制することができる。
【００２５】
また、これら支持脚状片１６，１６は、底板部１１の短手方向（幅方向）に比較的に大きく形成されている。つまり、底板部１１を設置面２に対して傾斜状態で支持した状態における一対の支持脚状片１６，１６の上下寸法を比較的に大きく形成している。この上下寸法は、底板部１１の短手寸法（幅寸法）の１／２以上としてもよく、好ましくは２／３以上としてもよい。図例では、底板部１１を設置面２に対して傾斜状態で支持した状態における一対の支持脚状片１６，１６の上下寸法を、底板部１１の幅寸法の７／９程度とした例を示している。このような構成とすれば、底板部１１を設置面２に対して傾斜させた状態でより安定的に支持することができる。
【００２６】
これら支持脚状片１６，１６は、図２（ｂ）に示すように、底板部１１に切目１７，１７及び折目１８，１８を設けることで形成されている。
各折目１８，１８は、互いに略平行状に設けられており、底板部１１の幅方向に延びるように設けられている。また、これら折目１８，１８は、底板部１１の長手方向中央部からそれぞれ略等間隔を空けて設けられている。各支持脚状片１６，１６は、各折目１８，１８部位において底板部１１に対して折り曲げられる。また、各支持脚状片１６，１６は、底板部１１に対して略平行状とされた状態では、各支持脚状片１６，１６の厚さ方向両面と底板部１１の厚さ方向両面とがそれぞれ略同一平面状とされる。
各切目１７，１７は、各支持脚状片１６，１６の折目１８，１８部位を除く外周縁が底板部１１に対して分離可能なように、各支持脚状片１６，１６の外周縁に沿って形成されている。
また、これら支持脚状片１６，１６には、図２（ｂ）及び図４（ａ）に示すように、後記する保持片１９の係止部１９ａ，１９ａが係止する被係止部１６ａ，１６ａが設けられている。なお、被係止部１６ａ，１６ａの具体的構成については後述する。
【００２７】
保持片１９は、各支持脚状片１６，１６の高さ方向（底板部１１の幅方向に沿う方向）の中央よりも下側に寄った位置に設けられている。
また、本実施形態では、単一の保持片１９によって底板部１１に対して折り曲げられた状態の一対の支持脚状片１６，１６を保持する構成としており、保持片１９を、底板部１１の長手方向中央部位に設けている。
この保持片１９は、図２（ｂ）に示すように、底板部１１に切目２０及び折目２１を設けることで形成されている。
【００２８】
保持片１９の折目２１は、底板部１１の長手方向に延びるように設けられている。つまり、この保持片１９の折目２１は、各支持脚状片１６，１６の折目１８，１８に略直交するように設けられている。また、保持片１９の折目２１は、支持脚状片１６，１６によって底板部１１を設置面２に対して傾斜状態で支持した状態で、底板部１１の幅方向中央よりも下側に寄った位置に設けられている。この保持片１９は、その折目２１部位において底板部１１に対して折り曲げられる。また、保持片１９は、底板部１１に対して略平行状とされた状態では、保持片１９の厚さ方向両面と底板部１１の厚さ方向両面とがそれぞれ略同一平面状とされる。
【００２９】
切目２０は、保持片１９の折目２１部位を除く外周縁が底板部１１及び各支持脚状片１６，１６に対して分離可能なように、保持片１９の外周縁に沿って形成されている。
保持片１９と底板部１１とを分離させる切目２０ａは、底板部１１の長手方向に概ね延びるように設けられており、折目２１よりも底板部１１の幅方向中央側に設けられている。
また、本実施形態では、支持脚状片１６，１６の被係止部１６ａ，１６ａにそれぞれに係止する保持片１９の係止部１９ａ，１９ａを、切込状に設けられた係止凹部１９ａ，１９ａとしている。これら係止凹部１９ａ，１９ａは、切目２０ａの両端部を折目２１側に湾曲させるようにして形成されており、図例では、切目２０ａの両端部を略Ｕ字形状とした例を示している。これら係止凹部１９ａ，１９ａは、保持片１９が底板部１１に対して折り曲げられ、各支持脚状片１６，１６を保持した状態における保持片１９の後端部に設けられ、その状態で後方側に開口するように設けられている。
【００３０】
また、保持片１９と各支持脚状片１６，１６とを分離させる切目２０ｂ，２０ｂは、切目２０ａの両端部にそれぞれ連なるように設けられている。これら切目２０ｂ，２０ｂは、それぞれの両端部を各支持脚状片１６，１６の折目１８，１８部位に接続するように、また、それぞれの途中部位を底板部１１の長手方向外方側に湾曲させるように形成されている。また、これら切目２０ｂ，２０ｂは、図４（ａ）に示すように、底板部１１に対して折り曲げた状態の各支持脚状片１６，１６に、各支持脚状片１６，１６の厚さ方向に見て底板部１１側（前方側）に開口するような切欠状の凹湾曲状の凹所が形成されるように設けられている。
また、本実施形態では、各支持脚状片１６，１６の被係止部１６ａ，１６ａを、底板部１１を設置面２に対して傾斜状態で支持した状態における前方側（底板部１１側）に向けて開口し、切込状に設けられた被係止凹部１６ａ，１６ａとしている。
これら被係止凹部１６ａ，１６ａは、保持片１９と各支持脚状片１６，１６とを分離させる切目２０ｂ，２０ｂのそれぞれの途中部位を、底板部１１の長手方向外方側に切り込むようにして形成されており、図例では、各切目２０ｂ，２０ｂの途中部位を略Ｖ字形状とした例を示している。また、これら被係止凹部１６ａ，１６ａは、保持片１９の折目２１の両端部に位置するように設けられている。
【００３１】
切目２０は、図４に示すように、底板部１１に対して折り曲げられた各支持脚状片１６，１６の被係止凹部１６ａ，１６ａに、底板部１１に対して折り曲げた保持片１９の係止凹部１９ａ，１９ａが係止するように形成されている。このように保持片１９の係止凹部１９ａ，１９ａを各支持脚状片１６，１６の被係止凹部１６ａ，１６ａに係止させた状態では、各支持脚状片１６，１６及び保持片１９のそれぞれの折目１８，１８，２１部位を支点とする揺動が規制され、それぞれが底板部１１に対して略直交した状態で保持される。
なお、スタンド部１５の一対の支持脚状片１６，１６及び保持片１９は、上記した構成に限られず、適宜、変形可能である。また、底板部１１に一体的に切り起こし状に設けられたスタンド部１５としては、上記のような一対の支持脚状片１６，１６と保持片１９とを備えたものに限られず、例えば、保持片１９を備えていないものや、単一の支持脚状片を備えたもの等としてもよく、その他、種々の構成とされたものとしてもよい。
【００３２】
また、底板部１１に対して略平行状に折り畳み可能なスタンド部１５としては、底板部１１に一体的に切り起こし状に設けられたものに限られず、例えば、底板部１１の厚さ方向一方面に一端部を揺動可能に連結したようなスタンド部１５としてもよい。その他、種々の構成とされたスタンド部１５の採用が可能である。
また、スタンド部１５によって設置面２に対して傾斜状態で支持される底板部１１の設置面２に対する傾斜角度θ（底板部１１と底板部１１後方側の設置面２とのなす角度、図４（ｂ）参照）は、底板部１１に沿わせるようにして展示される物品３の種類や大きさ、展示する際の設置箇所等に応じて、適宜、設定するようにしてもよい。後記するように薄型物品３，４や吊下物品５を展示する際には、展示状態における視認性等を向上させる観点から、傾斜角度θを比較的に大きくするようにしてもよい。例えば、この傾斜角度θを、４５度よりも大きく、９０度よりも小さい角度としてもよく、好ましくは、６０度から８５度程度としてもよく、図例では、８０度程度とした例を示している。
【００３３】
また、本実施形態では、傾斜状態で設置面２に沿うように配置され、物品３が載置される下側板部２４に、物品３の下端部の反底板部側（前方側）への移動を抑制するストッパー部２５を設けている。このようなストッパー部２５を設けることで、傾斜状態とされた底板部１１に沿わせるようにして展示された物品３の下端部が前方側にズレ動くようなことを抑制することができる。
本実施形態では、このストッパー部２５を、下側板部２４に一体的に切り起こし状に設けられ、物品３の下端部に当接されるストッパー片２５としている。つまり、下側板部２４の厚さ方向一方面に付設状にストッパー部２５を設けたような構成とせずに、下側板部２４自体の一部をストッパー部２５として機能させる構成としている。このような構成とすれば、例えば、下側板部２４の厚さ方向一方面に付設状にストッパー部２５を設けたような構成とした場合と比べて、上記のような梱包状態で、ストッパー部２５によって下側板部２４の厚さが厚くなったり、ストッパー部２５が邪魔になったりするようなことを防止でき、また、材料コストを低減させることができる。
【００３４】
また、本実施形態では、下側板部２４の長手方向に間隔を空けて複数箇所にストッパー片２５，２５を設けている。これらストッパー片２５，２５は、互いに略同様の構成とされている。
また、図例では、下側板部２４の長手方向に間隔を空けて、２箇所にストッパー片２５，２５を設けており、これらストッパー片２５，２５を、下側板部２４の長手方向中央部からそれぞれ略等間隔を空けて設けた例を示している。
これらストッパー片２５，２５は、図２（ｂ）に示すように、下側板部２４に切目２６，２６及び折目２７，２７を設けることで形成されている。
各折目２７，２７は、下側板部２４の幅方向において一致する位置となるように、下側板部２４の長手方向に延びるように設けられている。また、これら折目２７，２７は、下側板部２４の幅方向中央部よりも開口側の先端縁部側に寄った位置に設けられている。各ストッパー片２５，２５は、各折目２７，２７部位において下側板部２４に対して折り曲げられる。また、各ストッパー片２５，２５は、下側板部２４に対して略平行状とされた状態では、各ストッパー片２５，２５の厚さ方向両面と下側板部２４の厚さ方向両面とがそれぞれ略同一平面状とされる。
【００３５】
切目２６，２６は、各ストッパー片２５，２５の折目２７，２７部位を除く外周縁が下側板部２４に対して分離可能なように、各ストッパー片２５，２５の外周縁に沿って形成されている。
図例では、切目２６，２６を、それぞれの両端部を各折目２７，２７の両端部に接続するように、また、それぞれの途中部位を底板部１１側に湾曲させるように形成した例を示している。つまり、図例では、各ストッパー片２５，２５の外周縁を、厚さ方向に見て底板部１１側に凸の湾曲形状とし、各ストッパー片２５，２５の厚さ方向に見た状態における形状を、半円よりも小さい円の一部のような形状とした例を示している。
なお、ストッパー片２５，２５の厚さ方向に見た状態における形状は、上記のような形状に限られず、略Ｕ字形状や略方形状、略台形状、略三角形状等としたり、その他の形状としてもよい。
また、ストッパー片２５，２５を設ける個数や箇所は、図例の個数や箇所に限られず、底板部１１に沿わせるようにして展示される物品３の種類や大きさ等に応じて、適宜、設定するようにしてもよい。
【００３６】
また、下側板部２４に設けるストッパー部２５としては、上記した態様に限られない。例えば、下側板部２４に切込み部を設け、該切込み部に、片状部材の一部を挿入させ、その残余部位をストッパー部２５として機能させるような態様としてもよい。または、下側板部２４の厚さ方向一方面に付設状に別部材のストッパー部２５を固定したような態様としてもよい。この場合、下側板部２４の厚さ方向一方面から厚さ方向に突出させるようにストッパー部２５を設けたようなものに限られず、例えば、下側板部２４の厚さ方向一方面に滑り止め部材を添設してストッパー部２５として機能させるような態様としてもよい。その他、種々の構成とされたストッパー部２５の採用が可能である。
【００３７】
また、上記構成とされた箱本体１０及び蓋体３０は、これらを形成する板状の材料を打ち抜きや切断等することで、適宜、形成するようにしてもよい。
また、上記した各折目は、当該部位を押し潰す等によって形成するようにしてもよく、適宜、公知の罫線加工処理によって形成するようにしてもよい。
また、本実施形態では、一対の支持脚状片１６，１６及び保持片１９を、それぞれの折目部位を除く外周縁が底板部１１に対して分離可能なように切目１７，１７，２０を設けて形成し、ストッパー片２５を、折目部位を除く外周縁が下側板部２４に対して分離可能なように切目２６を設けて形成した構成としたが、このような構成に限られない。例えば、これら切目１７，１７，２０，２６の全部または一部に代えて、分離部に沿ってミシン目等の分離補助部を設けておき、使用時等に折目部位を除く外周縁が分離可能とされたようなものとしてもよい。
【００３８】
また、本実施形態では、図３（ｂ）及び図５（ａ）に示すように、収納箱１を、平板状で折り畳み展開可能な薄型物品としての冊子状物品３を収納するものとしている。
この冊子状物品３は、収納箱１（箱本体１０）の上記収納空間に応じた寸法とされ、上記梱包状態で収納箱１に収納可能な構成とされている。
また、この冊子状物品３は、それぞれに台紙状の表表紙と裏表紙とからなり、これら表表紙と裏表紙との連結部となる一長辺部を支点として折り畳み展開可能とされている。また、冊子状物品３は、折り畳み状態で、収納箱１（箱本体１０）の上記収納空間に応じた寸法とされている。つまり、冊子状物品３は、折り畳み状態における厚さ方向に見た寸法が、箱本体１０の底板部１１の厚さ方向に見た寸法よりも僅かに小さい寸法とされている。一方、冊子状物品３は、図５に示すように、表表紙と裏表紙とを略平行状に展開した状態における厚さ方向に見た寸法が、箱本体１０の底板部１１の厚さ方向に見た寸法よりも大きい寸法とされている。
【００３９】
また、図例では、冊子状物品３を、展開状態における裏表紙の表面（折り畳み状態における内側面）に、証書を保持する保持部を設けた証書ホルダーとしている。
なお、冊子状物品３としては、このような証書ホルダーに限られず、写真を保持する写真ホルダー（写真台紙）等としてもよく、絵画やカレンダー等を保持するものとしてもよい。
また、冊子状物品３としては、表表紙及び裏表紙の両方または一方に上記のような保持部を設けた表表紙と裏表紙とからなるものに限られず、これらの間に複数枚の保持部となるホルダーを綴じたものとしてもよい。
また、冊子状物品３としては、上記のような表表紙と裏表紙とからなる２つ折り状のものに限られず、３つ折り状のものとしてもよく、その他、種々の冊子状物品としてもよい。
【００４０】
次に、上記構成とされた収納箱１の使用態様の一例について説明する。
まず、図３（ｂ）に示すように、箱本体１０に対して蓋体３０を脱離させ、箱本体１０から収納物品である冊子状物品３を取り出す。
次いで、図１及び図４（ａ）に示すように、箱本体１０の底板部１１に対して各支持脚状片１６，１６を折り曲げ、保持片１９によって保持させる。また、箱本体１０の四周の側板部２２，２３，２３，２４のうち下側板部２４以外の上側板部２２及び両側の横側板部２３，２３を底板部１１に対して略平行状となるように展開させる。また、各ストッパー片２５，２５を下側板部２４に対して折り曲げ、下側板部２４を設置面２に沿わせるように載置する。この状態では、底板部１１並びに下側板部２４以外の上側板部２２及び両側の横側板部２３，２３が上記した傾斜角度θで設置面２に対して傾斜した状態でスタンド部１５によって支持された状態となる。また、設置面２に沿わせるように載置された下側板部２４の厚さ方向一方面（内面）から上方に向けて各ストッパー片２５，２５が突出した状態となる。
【００４１】
そして、図４（ｂ）及び図５に示すように、冊子状物品３を展開させ、その下端部を各ストッパー片２５，２５と底板部１１との間に挿入し、底板部１１に凭せ掛けるようにして底板部１１に沿わせるようにして展示するようにしてもよい。
なお、本例では、冊子状物品３を、収納物品及び展示対象物品とした例を示しているが、図６（ａ）のように、複数枚の薄型物品４，４を、収納物品及び展示対象物品とし、これらを横並び状に隣接させて展示するようにしてもよい。
図６（ａ）では、厚さ方向に見た寸法が互いに略同寸法とされ、それぞれの厚さ方向に見た寸法が、箱本体１０の底板部１１の厚さ方向に見た寸法よりも僅かに小さい寸法とされた２枚の薄型物品４，４を、それぞれ縦置き状に、かつ横並び状に隣接させて底板部１１に沿わせるようにして展示した例を示している。
このような薄型物品４としては、証書や写真、絵画等としてもよく、また、これらを収納する額縁やホルダー等としてもよい。また、薄型物品４としては、カレンダー、ハガキ等としてもよく、その他、種々のものとしてもよい。
【００４２】
また、図５及び図６（ａ）では、底板部１１に対して展開された上側板部２２及び両側の横側板部２３，２３を、前方から見た状態で略隠蔽するように、展開状態の冊子状物品３や横並び状の薄型物品４，４を展示した例を示しているが、このような展示態様に限られない。展示対象物品を展示した状態で、上側板部２２及び両側の横側板部２３，２３のうちの少なくとも一つや底板部１１の一部が前方から見た状態で、露出するような展示態様等としてもよい。この場合は、露出される板部の前面に、メッセージや年月日、題目等の文字や、模様等を施すようにしてもよい。
【００４３】
本実施形態に係る収納箱１は、上述のような構成としたことで、種々の物品を展示することができる。
つまり、箱本体部（箱本体）１０の四周の側板部２２，２３，２３，２４を、底板部１１に対して略平行状に展開可能としている。従って、展示対象物品の一部または全部を収納させた状態で展示可能としたようなものと比べて、種々の物品３，４を展示することができる。特に、上記したように、折り畳み展開可能とされた冊子状物品３を展開状態で展示したり、複数枚の薄型物品４，４を横並び状に隣接させて展示したりすることができ、使い勝手の良いものとなる。
【００４４】
また、このように冊子状物品３や薄型物品４，４を底板部１１に沿わせるように展示した場合にも、本実施形態では、下側板部２４にストッパー部（ストッパー片）２５を設けているので、展示対象物品の下端側が前方側にズレ、展示対象物品が倒れるようなことを防止でき、見栄え良く安定的に展示することができる。
また、本実施形態では、箱本体部（箱本体）１０の四周の側板部２２，２３，２３，２４を、互いに隣り合う側板部２２，２３，２３，２４同士が分離されたものとしている。従って、例えば、展開可能に分離補助部等を設けたようなものと比べて、簡易な構成で容易に展開させることができる。
【００４５】
また、本実施形態では、箱本体部（箱本体）１０と蓋部（蓋体）３０とを分離させ、蓋体３０を、箱本体１０の四周の側板部２２，２３，２３，２４を外嵌するように開口を覆う構成とし、スタンド部１５を、箱本体１０の底板部１１に対して略平行状に折り畳み可能に設けている。従って、上記のように展示した物品３，４を、再収納させることも容易に可能となる。つまり、例えば、蓋部３０を変形させてスタンド部１５としたりするような場合には、変形態様によっては再収納が困難となる場合もあるが、スタンド部１５を折り畳み可能に底板部１１に設けた箱本体１０の四周の側板部２２，２３，２３，２４を底板部１１に対して略直交状とし、これらを外嵌するように蓋体３０によって箱本体１０の開口を覆うことで、容易に収納させることができる。
【００４６】
次に、本実施形態に係る収納箱の変形例について図６（ｂ）及び図７を参照して説明する。
なお、以下の各変形例では、上記した例との相違点について主に説明し、同様の構成については、同一符号を付し、その説明を省略または簡略に説明する。
また、以下の各変形例では、箱本体の構成が上記した例とは異なり、蓋体３０の構成については同様である。
【００４７】
図６（ｂ）は、第１変形例に係る収納箱１Ａの箱本体１０Ａを模式的に示す図である。
本変形例では、箱本体１０Ａの下側板部２４以外の他の側板部２２，２３，２３及び底板部１１Ａのうちの少なくとも一つに、物品５が引っ掛けられる引掛部２８を設けている。
本変形例では、底板部１１Ａに、引掛部２８を設けている。また、本変形例では、引掛部２８を、下側板部２４以外の他の側板部２２，２３，２３及び底板部１１Ａのうちの少なくとも一つ（本変形例では、底板部１１Ａ）に、一体的に切り起こし状に設けられた引掛片２８としている。
【００４８】
この引掛片２８は、上記したストッパー片２５と概ね同様、底板部１１Ａに切目（または分離補助部）及び折目を設けることで形成されている。また、この引掛片２８は、底板部１１Ａが傾斜状態でスタンド部１５によって支持された状態で、その上側から引掛可能なように下側に折目、上側に切目（または分離補助部）を設けた構成とされている。また、図例では、底板部１１Ａの上側板部２２及び一方の横側板部２３近傍の隅部に、単一の引掛片２８を設けた例を示している。
また、図例では、この引掛片２８に、円盤状（メダル状）の吊下物品５の紐状部材５ａを引っ掛け、吊下げて展示した例を示している。なお、このような吊下物品５としては、記章（徽章）等としてもよく、このようなものに代えて、飾り紐等の物品を引掛片２８に引っ掛けるようにしてもよい。
【００４９】
なお、図例では、上記したストッパー片２５と概ね同様、引掛片２８の厚さ方向に見た状態における形状を、半円よりも小さい円の一部のような形状とした例を示しているが、上記同様、略Ｕ字形状や略方形状、略台形状、略三角形状等としたり、その他の形状としてもよい。
また、引掛片２８を設ける個数や箇所は、図例の個数や箇所に限られず、底板部１１Ａの他の箇所に設けるようにしてもよく、底板部１１Ａに代えて、または加えて、下側板部２４以外の他の側板部２２，２３，２３のうちの少なくとも一つに設けるようにしてもよい。また、引掛部２８としては、上記した引掛片２８に限られず、上記したストッパー部２５と概ね同様、種々の構成とされた引掛部２８の採用が可能である。
【００５０】
また、本変形例では、底板部１１Ａに対して折り曲げた状態におけるスタンド部１５を構成する一対の支持脚状片１６，１６の上下寸法及び底板部１１Ａからの突出寸法（幅寸法）を、上記した例と比べて小さくしている。換言すれば、底板部１１Ａに対して一対の支持脚状片１６，１６を折り曲げた状態で底板部１１Ａに形成される開口を、上記した例よりも小さくしている。また、各ストッパー片２５，２５を、上記した例よりも底板部１１Ａの長手方向中央寄りに設けている。
また、本変形例では、上記した吊下物品５に加えて、一枚の上記同様の薄型物品４を、縦置き状に底板部１１Ａの長手方向中央部位に展示した例を示している。本変形例では、一対の支持脚状片１６，１６を底板部１１Ａに対して折り曲げた状態で底板部１１Ａに形成される開口が、縦置き状に底板部１１Ａの長手方向中央部位に展示された一枚の薄型物品４によって覆われて露出しないように、一対の支持脚状片１６，１６を形成している。なお、このような態様に代えて、上記した箱本体１０と同様にしてもよい。
【００５１】
本変形例に係る収納箱１Ａにおいても、上述のような構成としたことで、上記した収納箱１と概ね同様の効果を奏する。
また、本変形例では、箱本体１０Ａの下側板部２４以外の他の側板部２２，２３，２３及び底板部１１Ａのうちの少なくとも一つに、物品５が引っ掛けられる引掛部（引掛片）２８を設けているので、上記したように種々の物品５を引っ掛けて展示することができる。
【００５２】
図７（ａ）は、第２変形例に係る収納箱１Ｂの箱本体１０Ｂを模式的に示す図である。
本変形例では、箱本体１０Ｂの互いに対向する二対の側板部２２Ｂ，２４Ｂ，２３，２３のうちの一方対の側板部（図例では、長辺側の側板部）２２Ｂ，２４Ｂの長手方向両端部に、それぞれ長手方向外方側に延びるようにフラップ状の折曲片２２ａ，２２ａ，２４ａ，２４ａを設けた構成としている。また、これら折曲片２２ａ，２２ａ，２４ａ，２４ａと一方対の側板部２２Ｂ，２４Ｂの長手方向両端部との境界部に、それぞれ折目２２ｂ，２２ｂ，２４ｂ，２４ｂを設けた構成としている。これら折曲片２２ａ，２２ａ，２４ａ，２４ａは、箱本体１０Ｂによって上記収納空間を区画形成した状態では、それぞれ折目２２ｂ，２２ｂ，２４ｂ，２４ｂ部位で一方対の側板部２２Ｂ，２４Ｂに対して折り曲げられ、他方対の側板部２３，２３の内面に沿うように配置される。一方、図７（ａ）に示すように、これら折曲片２２ａ，２２ａ，２４ａ，２４ａを、一方対の側板部２２Ｂ，２４Ｂと略平行状に展開させた状態では、これら折曲片２２ａ，２２ａ，２４ａ，２４ａの厚さ方向両面が一方対の側板部２２Ｂ，２４Ｂの厚さ方向両面と略同一平面状とされる。
【００５３】
本変形例に係る収納箱１Ｂにおいても、上述のような構成としたことで、上記した収納箱１と概ね同様の効果を奏する。
また、本変形例では、箱本体１０Ｂの一方対の側板部２２Ｂ，２４Ｂの長手方向両端部に、折曲片２２ａ，２２ａ，２４ａ，２４ａを設けているので、例えば、図６（ｂ）に示すように、上側板部２２の両端部が露出するように展示対象物品を展示するような場合にも、上記したような凹所が形成され難く、見栄えを向上させることができる。
なお、本変形例では、箱本体１０Ｂの一方対の側板部２２Ｂ，２４Ｂの長手方向両端部に、折曲片２２ａ，２２ａ，２４ａ，２４ａを設けた例を示しているが、上側板部２２Ｂの長手方向両端側のみに配置されるように折曲片２２ａ，２２ａを設けるようにしてもよい。
また、本変形例においても、第１変形例において説明したような引掛部２８を設けるようにしてもよい。
【００５４】
図７（ｂ）は、第３変形例に係る収納箱１Ｃの箱本体１０Ｃを模式的に示す図である。
本変形例では、箱本体１０Ｃの互いに隣り合う側板部２２Ｃ，２３Ｃ，２３Ｃ，２４Ｃ同士を分離させずに、それぞれの間にコーナー部２９，２９，２９，２９を設けて一体的に形成している。
各コーナー部２９，２９，２９，２９と隣り合う側板部２２Ｃ，２３Ｃ，２３Ｃ，２４Ｃの長手方向端部との境界部には、折目２９ａ，２９ｂが設けられている。これら折目２９ａ，２９ｂは、各側板部２２Ｃ，２３Ｃ，２３Ｃ，２４Ｃと底板部１１との境界部に設けられた折目１２，１３，１３，１４を延長させるように形成されている。
また、各コーナー部２９，２９，２９，２９には、各コーナー部２９，２９，２９，２９を二分するように、底板部１１との境界部に設けられた折目１２，１３，１３，１４の交差点から各角に延びるように斜め状に折目２９ｃ，２９ｃ，２９ｃ，２９ｃが設けられている。
【００５５】
上記構成とされた各コーナー部２９，２９，２９，２９は、箱本体１０Ｃによって上記収納空間を区画形成した状態では、各折目２９ａ，２９ｃ，２９ｃ部位で折り曲げられ、一方の側板部の内面に沿うように配置される。一方、図７（ｂ）に示すように、これら各コーナー部２９，２９，２９，２９を、各側板部２２Ｃ，２３Ｃ，２３Ｃ，２４Ｃと略平行状に展開させた状態では、これらコーナー部２９，２９，２９，２９の厚さ方向両面が各側板部２２Ｃ，２３Ｃ，２３Ｃ，２４Ｃの厚さ方向両面と略同一平面状とされる。
本変形例に係る収納箱１Ｃにおいても、上述のような構成としたことで、上記した第２変形例に係る収納箱１Ｂと概ね同様の効果を奏する。
なお、本変形例では、箱本体１０Ｃの上下の側板部２２Ｃ，２４Ｃの長手方向両端側のそれぞれにコーナー部２９，２９，２９，２９を設けた例を示しているが、上側板部２２Ｃの長手方向両端側のみにコーナー部２９，２９を設けるようにしてもよい。
また、本変形例においても、第１変形例において説明したような引掛部２８を設けるようにしてもよい。
【００５６】
なお、上記した各例では、スタンド部１５を、厚さ方向に見て略長方形状とされた底板部１１，１１Ａの長手方向が左右方向に沿うように底板部１１，１１Ａを傾斜状態で支持する構成とした例を示しているが、このような態様に限られない。スタンド部１５を、厚さ方向に見て略長方形状とされた底板部１１，１１Ａの長手方向が上下方向に沿うように底板部１１，１１Ａを傾斜状態で支持する構成としてもよい。また、底板部１１，１１Ａを、厚さ方向に見て略正方形状としてもよい。
また、上記した各例では、下側板部２４，２４Ｂ，２４Ｃに、ストッパー部（ストッパー片）２５を設けた例を示しているが、このようなストッパー部２５を設けないようにしてもよい。
【００５７】
また、上記した各例では、箱本体部としての箱本体１０，１０Ａ，１０Ｂ，１０Ｃと、蓋部としての蓋体３０と、を分離させたものとした例を示しているが、このような態様に限られない。例えば、蓋部３０を、箱本体部１０，１０Ａ，１０Ｂ，１０Ｃの一側板部に連なるように一体的に設けたような態様としてもよい。
また、上記した各例では、スタンド部１５を底板部１１，１１Ａに対して略平行状に折り畳み可能に設けた例を示しているが、このような態様に代えて、例えば、蓋部３０にスタンド部１５を設けたり、蓋部３０自体の全部または一部をスタンド部１５として機能させたりするような態様としてもよい。
また、上記した各例では、収納箱１，１Ａ，１Ｂ，１Ｃに収納される収納物品を、展示対象物品とした例を示しているが、各例に係る収納箱１，１Ａ，１Ｂ，１Ｃを用いて、他の種々の展示対象物品を展示するようにしてもよい。
【符号の説明】
【００５８】
１，１Ａ，１Ｂ，１Ｃ          収納箱
１０，１０Ａ，１０Ｂ，１０Ｃ  箱本体（箱本体部）
１１，１１Ａ                  底板部
１５                          スタンド部
１６                          支持脚状片
１９                          保持片
２２，２２Ｂ，２２Ｃ          上側板部（側板部）
２３，２３Ｃ                  横側板部（側板部）
２４，２４Ｂ，２４Ｃ          下側板部（下端側の側板部、側板部）
２５                          ストッパー片（ストッパー部）
２８                          引掛片（引掛部）
３０                          蓋体（蓋部）
２                            設置面
３                            冊子状物品（折り畳み展開可能な薄型物品、物品）
４                            薄型物品（物品）
５                            吊下物品（物品）
【図１】
2014169110.tif 000003
【図２】
2014169110.tif 000004
【図３】
2014169110.tif 000005
【図４】
2014169110.tif 000006
【図５】
2014169110.tif 000007
【図６】
2014169110.tif 000008
【図７】
2014169110.tif 000009
【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
底板部の四周に側板部を設けた箱本体部と、
該箱本体部の開口を覆う蓋部と、
前記箱本体部の底板部に物品を沿わせるようにして展示可能なように該底板部を設置面に対して傾斜状態で支持するスタンド部と、を備えており、
前記箱本体部の四周の側板部は、前記底板部に対して略平行状に展開可能とされており、
前記底板部が傾斜状態において、前記設置面に沿うように配置され、前記物品が載置される下端側の側板部には、前記物品の下端部の反底板部側への移動を抑制するストッパー部が設けられていることを特徴とする収納箱。
【請求項２】
請求項１において、
前記ストッパー部は、前記下端側の側板部に一体的に切り起こし状に設けられ、前記物品の下端部に当接されるストッパー片であることを特徴とする収納箱。
【請求項３】
請求項１または２において、
前記箱本体部と前記蓋部とは分離されており、該蓋部は、該箱本体部の四周の側板部を外嵌するように前記開口を覆う構成とされており、
前記スタンド部は、前記箱本体部の底板部に対して略平行状に折り畳み可能に設けられていることを特徴とする収納箱。
【請求項４】
請求項３において、
前記スタンド部は、前記底板部に一体的に切り起こし状に設けられ、前記設置面に当接される一対の支持脚状片と、前記底板部に一体的に切り起こし状に設けられ、これら一対の支持脚状片を保持する保持片と、を備えた構成とされていることを特徴とする収納箱。
【請求項５】
請求項１乃至４のいずれか１項において、
前記箱本体部の四周の側板部は、互いに隣り合う側板部同士が分離されていることを特徴とする収納箱。
【請求項６】
請求項１乃至５のいずれか１項において、
前記底板部が傾斜状態において、前記設置面に沿うように配置される下端側の側板部以外の他の側板部及び前記底板部のうちの少なくとも一つには、物品が引っ掛けられる引掛部が設けられていることを特徴とする収納箱。
【請求項７】
請求項１乃至６のいずれか１項において、
平板状で折り畳み展開可能な薄型物品を収納するものであることを特徴とする収納箱。